(57)【特許請求の範囲】
【請求項１】
無線を介して近距離に存在する周辺装置から前記周辺装置の情報を取得して前記周辺装置を識別する周辺装置識別子を出力する近距離無線通信手段と、
通信処理を実行し、発呼者を識別する発呼者識別子を出力する通信手段と、
前記周辺装置識別子から前記通信装置の周辺の状況を表し前記周辺装置の利用者または前記周辺装置の利用者が属するグループを識別する情報を含む状況識別子を導出し、前記状況識別子と前記発呼者識別子とに基づいて前記通信手段が通信を確立する際の接続動作を決定する通信動作決定手段と、を具備することを特徴とする通信装置。
【請求項２】
請求項１記載の通信装置であって、
前記通信動作決定手段は、前記状況識別子から導出される優先度情報と前記発呼者識別子から導出される優先度情報を比較した結果に基づいて前記接続動作を決定することを特徴とする通信装置。
【請求項３】
請求項２記載の通信装置であって、
前記通信動作決定手段は、前記状況識別子に対応する優先度情報と前記発呼者識別子に対応する優先度情報を格納する状況優先度テーブルに基づいて前記状況識別子と前記発呼者識別子の優先度情報を導出し、前記通信手段の動作を決定することを特徴とする通信装置。
【請求項４】
請求項１ないし請求項３のいずれか一項記載の通信装置であって、
前記通信動作決定手段は、前記状況識別子と前記発呼者識別子との対応を示す利用者情報に基づいて前記通信手段の動作を決定することを特徴とする通信装置。
【請求項５】
請求項４記載の通信装置であって、
前記利用者情報は、前記周辺装置識別子と前記状況識別子との対応を示す情報を含み、
前記通信動作決定手段は、前記利用者情報に基づいて前記周辺装置識別子から前記状況識別子を導出することを特徴とする通信装置。
【請求項６】
請求項４又は請求項５記載の通信装置であって、
前記通信装置は、前記利用者情報を設定する利用者情報設定手段を具備することを特徴とする通信装置。
【請求項７】
請求項１ないし請求項６のいずれか一項記載の通信装置であって、
前記通信装置は、前記通信動作決定手段が決定した前記動作の状態を通知する動作状態通知手段を具備することを特徴とする通信装置。
【請求項８】
請求項１ないし請求項７のいずれか一項記載の通信装置であって、
前記近距離無線手段は、前記通信装置を識別する自装置識別子を前記周辺装置へ送出することを特徴とする通信装置。
【請求項９】
請求項１ないし請求項８のいずれか一項記載の通信装置と、音声入力装置と、音声出力装置と、着信通知装置と、操作入力装置と、表示装置と、を具備する携帯電話端末。
【請求項１０】
無線を介して近距離に存在する他の携帯電話端末から前記他の携帯電話端末の情報を取得して前記他の携帯電話端末を識別する周辺装置識別子を出力する近距離無線通信手段と、
通信処理を実行し、発呼者を識別する発呼者識別子を出力する通信手段と、
前記周辺装置識別子から前記携帯電話端末の周辺の状況を表し前記他の携帯電話端末の利用者または前記他の携帯電話端末の利用者が属するグループを識別する情報を含む状況識別子を導出し、前記状況識別子と前記発呼者識別子とに基づいて前記通信手段が通信を確立する際の接続動作を決定する通信動作決定手段と、を具備することを特徴とする携帯電話端末。
【発明の詳細な説明】
【技術分野】
【０００１】
本発明は、周囲の状況に合わせて自動的に通信動作を決定する通信装置に関する。
【背景技術】
【０００２】
携帯電話のサービスエリアの拡充により、さまざまな場所や時間帯において携帯電話端末を用いて通信・通話を行うことが可能となってきている。しかしながら、利用者のおかれる状況（以下「生活場面」と呼ぶ）によっては携帯電話端末への着信が周囲に悪影響を及ぼす場合もある。たとえば、重要な会議の席上や顧客応対時などに、利用者が家族や友人からの着信呼び出しに対応するようなことがあれば、同席する人々の気分を害してしまうことにつながりかねない。
【０００３】
このような課題に対処するため、生活場面や発信者に合わせて着信動作を変更できる携帯電話端末が早くから商品化されてきた。たとえば、マナーモード機能を備えた携帯電話端末は、利用者が生活場面に合わせてモード設定を行うことにより、着信時の通知方法を変更することができる。また、発呼者によって着信を拒否する機能を持つ携帯電話も既に商品化されており、利用者が着信拒否の設定を行うことにより、携帯電話端末の着信動作を発呼者ごとに変更することができる。
【０００４】
しかし、モード設定や着信拒否設定を利用者が手動で行う従来の携帯電話は、利用者が生活場面の変化に合わせてモード切替え操作を逐一行う必要があるため操作が煩雑であり、また設定の切替え忘れにより利用者の意図に反して着信通知音が鳴ってしまい、周囲に迷惑をかけてしまうといったことも起きていた。
【０００５】
このような課題を解決するため、周囲の状況に応じて自動的に着信動作を変更する技術が提案されている。たとえば特許文献１に開示された通信機器は、あらかじめ定めたスケジュールに応じて着信を許可・禁止する機能を備える。これらの発明によれば、利用者があらかじめスケジュールを定めておくことにより、利用者が生活場面ごとに設定操作を行わなくても着信時の動作を自動的に変更することができる。
【０００６】
また、特許文献２に開示された着信音制御方法は、特定のエリアの出入口付近に設置された送信機が発する無線信号によって着信を制御するものである。これらの発明によれば、利用者が設定操作を行わなくても、利用者が特定のエリアに入ったり出たりするだけで着信時の動作を自動的に変更することができる。
【０００７】
また、特許文献３に開示された無線携帯端末機は、携帯端末が特定のエリアにあることを端末が位置検出により検知して着信方法を変更するものである。この発明によれば、利用者が設定操作を行わなくても、利用者が特定のエリアに入ったり出たりするだけで着信時の動作を自動的に変更することができる。
【０００８】
また、特許文献４に開示された発着信規制制御システムは、外部雑音パターンに基づいて発着信を規制するものである。この発明によれば、利用者が設定操作を行わなくても、たとえば移動中の車両内など、特定の外部雑音を有する場所に利用者が居るときに着信時の動作を自動的に変更することができる。
【特許文献１】特開２０００−２９５３４２号公報
【特許文献２】特開２００３−３１９４５６号公報
【特許文献３】特開２００１−１０３５５４号公報
【特許文献４】特開２００４−１５５７１号公報
【発明の開示】
【発明が解決しようとする課題】
【０００９】
しかしながら、特許文献１に開示された通信機器においては、利用者の予定変更等により、予め定めたスケジュールと実際の生活場面とが合致しなくなった場合に、生活場面に応じた着信動作が行われないという問題があった。また、常に実際の生活場面に応じた着信動作が行われるようにするためには、利用者の予定変更の都度、利用者がスケジュールの設定を修正する必要があり、手間がかかるという問題があった。
【００１０】
また、特許文献２ないし３に開示された着信音制御方法、無線携帯端末機においては、生活場面が特定の場所に限定されない場合、たとえばその時に偶然立ち寄ったレストランで食事をしながら打ち合わせを行うような場合には、生活場面に応じた着信動作が行われないという問題があった。
【００１１】
また、特許文献４に開示された発着信規制制御システムにおいては、生活場面が特定の外部雑音と関連付けられない場合に生活場面に応じた着信動作が行われないという問題があった。
【００１２】
本発明は、上記従来の課題を解決するものであり、生活場面が場所や時間や外部雑音に関連付けられない場合であっても、生活場面に合わせて自動的に通信動作を決定する通信装置を提供することを目的とする。
【００１３】
なお、本明細書中に記載する「接続動作」とは、通信装置が他の通信装置と接続する際の処理動作を指し、発信の許可または禁止等の動作、着信の拒否や応答メッセージ送出や通話音録音、着信通知等の動作を含む。
【課題を解決するための手段】
【００１４】
前記従来の課題を解決するために、本発明の通信装置は、無線を介して近距離に存在する周辺装置から前記周辺装置の情報を取得して前記周辺装置を識別する周辺装置識別子を出力する近距離無線通信手段と、通信処理を実行し、発呼者を識別する発呼者識別子を出力する通信手段と、前記周辺装置識別子から前記通信装置の周辺の状況を表し前記周辺装置の利用者または前記周辺装置の利用者が属するグループを識別する情報を含む状況識別子を導出し、前記状況識別子と前記発呼者識別子とに基づいて前記通信手段が通信を確立する際の接続動作を決定する通信動作決定手段と、を具備することを特徴とする。
【００１５】
上記構成によれば、利用者の近距離に存在する周辺装置から近距離に誰がいるか、あるいはどのグループに属する人がいるかを識別して発呼者ごとの通信動作を決定することができるので、生活場面が場所や時間や外部雑音や移動速度に限定されない場合であっても、生活場面に合わせて自動的に通信動作を決定することができる。
【００１６】
また本発明の通信装置は、前記通信動作決定手段は、前記状況識別子から導出される優先度情報と前記発呼者識別子から導出される優先度情報を比較した結果に基づいて前記接続動作を決定することを特徴とする。
【００１８】
また本発明の通信装置は、前記通信動作決定手段は、前記状況識別子に対応する優先度情報と前記発呼者識別子に対応する優先度情報を格納する状況優先度テーブルに基づいて前記状況識別子と前記発呼者識別子の優先度情報を導出し、前記通信手段の動作を決定することを特徴とする。
【００２０】
また本発明の通信装置は、前記通信動作決定手段が前記状況識別子と前記発呼者識別子との対応を示す利用者情報に基づいて前記通信手段の動作を決定することを特徴とする。
【００２１】
上記構成によれば、利用者の状況と発呼者との関係によって通信動作を決定することができるので、生活場面が場所や時間や外部雑音や移動速度に限定されない場合であっても、生活場面に合わせて自動的に通信動作を決定することができる。
【００２２】
また本発明の通信装置は、前記利用者情報が前記周辺装置識別子と前記状況識別子との対応を示す情報を含み、前記通信動作決定手段が前記利用者情報に基づいて前記周辺装置識別子から前記状況識別子を導出することを特徴とする。
【００２３】
上記構成によれば、利用者の近距離に存在する周辺装置と利用者の状況とを対応付けることができるので、生活場面が場所や時間や外部雑音や移動速度に限定されない場合であっても、生活場面に合わせて自動的に通信動作を決定することができる。
【００２４】
また本発明の通信装置は、前記利用者情報を設定する利用者情報設定手段を具備することを特徴とする。
【００２５】
上記構成によれば、利用者の状況と発呼者との対応、または、利用者の近距離に存在する周辺装置と利用者の状況との対応を利用者が設定することができるので、生活場面が場所や時間や外部雑音や移動速度に限定されない場合であっても、利用者ごとの生活場面に合わせて自動的に通信動作を決定することができる。
【００２６】
また本発明の通信装置は、前記通信動作決定手段が決定した前記動作の状態を通知する動作状態通知手段を具備することを特徴とする。
【００２７】
上記構成によれば、利用者の近距離に存在する周辺装置によって決定される発呼者ごとの通信動作を利用者に通知するので、生活場面が場所や時間や外部雑音や移動速度に限定されない場合であっても、生活場面に合わせて自動的に通信動作を決定することができるとともに、決定された通信動作を利用者が確認することができる。
【００２８】
また本発明の通信装置は、前記近距離無線手段が前記通信装置を識別する自装置識別子を前記周辺装置へ送出することを特徴とする。
【００２９】
上記構成によれば、利用者の近距離に存在し本発明の通信装置の構成を有する他装置が自装置を識別することができるので、生活場面が場所や時間や外部雑音や移動速度に限定されない場合であっても、自装置、他装置共に生活場面に合わせて自動的に通信動作を決定することができる。
【００３０】
また本発明の通信装置と、音声入力装置と、音声出力装置と、着信通知装置と、操作入力装置と、表示装置と、を具備する携帯電話端末を構成する。
【００３１】
上記構成によれば、生活場面が場所や時間や外部雑音や移動速度に限定されない場合であっても、生活場面に合わせて自動的に通信動作を決定することのできる携帯電話端末を提供することができる。
【発明の効果】
【００３２】
本発明によれば、利用者の近距離に存在する周辺装置によって発呼者ごとの通信動作を決定することによって、生活場面が場所や時間や外部雑音や移動速度に限定されない場合であっても、生活場面に合わせて自動的に通信動作を決定することができるので、利用者が生活場面の変化の度に通信動作の設定変更操作をする必要がなくなり、利便性が向上する。
【発明を実施するための最良の形態】
【００３３】
以下本発明を実施するための最良の形態について、図面を参照しながら説明する。なお、実施の形態を説明するための全図において、同一の構成要素には同一符号を付与し、重複する説明は省略する。
【００３４】
（実施の形態１）
図１は、本発明の実施の形態１における携帯電話端末１の概略構成図である。図１において、携帯電話端末１は通信手段２０、近距離無線通信手段３０、通信動作決定手段４０を備える。
【００３５】
通信手段２０は、通信処理を行う部分であり、携帯電話端末１を無線通信回線（図示せず）と接続して通信を行う。通信手段２０は、通信動作を指示するための通信動作指示２０２に基づいて通信処理を実行する。また通信手段２０は、着信時に無線通信回線から発呼者の情報を取得し、発呼者を識別する発呼者識別子２０１を出力する。
【００３６】
図１の近距離無線通信手段３０は、近距離に存在する周辺装置と無線を介して通信を行う手段である。近距離無線通信手段３０は、近距離に存在する周辺装置の情報を取得して前記周辺装置を識別する周辺装置識別子３０１を出力する。
【００３７】
通信動作決定手段４０は、発呼者識別子２０１と周辺装置識別子３０１とに基づいて通信手段２０の動作を決定し、通信動作指示２０２を出力する。
【００３８】
図２は、本発明の実施の形態１における携帯電話端末１をさらに詳しく示した構成図である。図２において携帯電話端末１は応答メッセージ保持手段２１、マイク７１、スピーカー７２、バイブレータ７３、ＲＦＩＤリーダ３１、ＲＦＩＤタグ３２、利用者情報保持手段５１を備える。
【００３９】
応答メッセージ保持手段２１は、着信時に発呼者に対して自動応答するための音声メッセージを保持する。マイク７１は、携帯電話端末１の利用者の発話音声を電気信号である発話音声信号７１１に変換して通信手段２０へ出力する。スピーカー７２は、着信を通知するための電気信号である着信通知音信号７２１を通信手段２０から受け取り、空気振動に変換して空気中へ放音する。バイブレータ７３は、バイブレータ駆動信号７３１を通信手段２０から受け取り、携帯電話端末１の筐体を振動させる。なお、マイク７１は請求項記載の音声入力装置、スピーカー７２は請求項記載の音声出力装置および着信通知装置、バイブレータ７３は請求項記載の着信通知装置に相当する。
【００４０】
ＲＦＩＤリーダ３１は、携帯電話端末１外部の近距離に存在する周辺装置が備えるＲＦＩＤタグと通信してＲＦＩＤを取得し、周辺装置を識別する周辺装置識別子３０１を出力する。ＲＦＩＤタグ３２は、携帯電話端末１外部の近距離に存在する周辺装置が備えるＲＦＩＤリーダと通信し、自装置を識別する自装置識別子を送出する。ＲＦＩＤタグ３２およびＲＦＩＤリーダ３１の無線通信動作は公知技術であるため、本明細書では説明を省略する。なお、ＲＦＩＤリーダ３１およびＲＦＩＤタグ３２は図１における近距離無線通信手段３０に相当する部分である。
【００４１】
利用者情報保持手段５１は、通信動作決定手段４０が通信動作を決定するために参照する利用者情報５１１を保持する。
【００４２】
図３は、本発明の実施の形態１における携帯電話端末１の外観図である。図３（ａ）は携帯電話端末１を開口部の方向から見た外観図、図３（ｂ）は携帯電話端末１を開口部の裏側方向から見た外観図である。図３において携帯電話端末１はスピーカー７２、マイク７１を筐体表面に備え、ＲＦＩＤリーダ３１、ＲＦＩＤタグ３２を筐体内部に備える。ＲＦＩＤリーダ３１、ＲＦＩＤタグ３２を覆う部分はプラスチック部材を用いることにより無線通信のための電磁波が透過するようになっている。
【００４３】
図４は、本発明の実施の形態１における利用者情報５１１として利用者情報保持手段５１が保持する個人情報テーブルの例を示す図である。個人情報テーブルＴ５１１は、携帯電話端末１の外部に存在する周辺装置である携帯電話端末（以下「外部端末」と呼ぶ）と外部端末の利用者の情報を格納するものである。
【００４４】
個人情報テーブルＴ５１１は、外部端末ごとのレコードＲ５１１１〜Ｒ５１１４から成り、各レコードＲ５１１１〜Ｒ５１１４のフィールドＦ５１１１〜Ｆ５１１４にはそれぞれ外部端末の利用者の氏名、外部端末の電話番号、外部端末の近距離においてＲＦＩＤリーダ３１が外部端末と通信して得る周辺装置識別子、外部端末の利用者が属するグループが格納されている。なお、氏名（Ｆ５１１１）およびグループ（Ｆ５１１４）に格納されている情報が請求項記載の状況識別子に相当する。また、電話番号（Ｆ５１１２）に格納されている情報が請求項記載の発呼者識別子に相当する。
【００４５】
図５は、本発明の実施の形態１における利用者情報５１１として利用者情報保持手段５１が保持する着信動作テーブルと着信個別動作テーブルの例を示す図である。着信動作テーブルＴ５２１と着信個別動作テーブルＴ５３１は、携帯電話端末１が着信した際の通信手段２０の着信動作を記述したものである。着信動作テーブルＴ５２１は、状況識別子ごとのレコードＲ５２１１〜Ｒ５２１５から成り、各レコードＲ５２１１〜Ｒ５２１５のフィールドＦ５２１１〜Ｆ５２１２にはそれぞれ状況識別子、着信の際の動作が格納されている。
【００４６】
着信動作テーブルＴ５２１のフィールドＦ５２１２の値「通常通知」は、デフォルトの着信通知設定に従って着信を通知する動作を表している。ここでいう「デフォルトの着信通知設定」とは、着信通知音の有無や音種や音量、振動の有無や振動パターン等のパラメータの初期設定値や、設定メニュー等を用いて利用者があらかじめ設定した上記パラメータの設定値を指す。また、フィールドＦ５２１２の値「個別動作」は、着信個別動作テーブルＴ５３１に従って着信通知することを表している。
【００４７】
着信個別動作テーブルＴ５３１は、状況識別子ごとのレコードＲ５３１１〜Ｒ５３１２から成り、各レコードＲ５３１１〜Ｒ５３１２のフィールドＦ５３１１〜Ｆ５３１５には発呼者属性ごとの着信動作が格納されている。発呼者属性とは、発呼者識別子２０１から個人情報テーブルＴ５１１に基づいて導出される発呼者の属性を表し、氏名（Ｆ５１１１）、グループ（Ｆ５１１４）がこれに相当する。フィールド「不明」（Ｆ５３１１）には、発呼側の非通知設定等によって発呼者識別子２０１が取得できない場合の着信動作が格納されている。
【００４８】
着信個別動作テーブルＴ５３１のフィールドの値「着信拒否」は、デフォルトの着信通知設定にかかわらず着信を拒否する（着信通知を行わず、発呼側へビジー信号を返す）ことを表している。また「留守応答」は、デフォルトの着信通知設定にかかわらず留守応答を行う（発呼側へ応答メッセージを送出して発呼者の通話音声を録音する）ことを表している。また「無音通知」は、デフォルトの着信通知設定にかかわらずスピーカー７２から放音せずに着信を通知することを表している。
【００４９】
図６は、本発明の実施の形態１における利用者情報保持手段５１が保持する応答メッセージテーブルの例を示す図である。応答メッセージテーブルＴ２１１は、状況識別子ごとのレコードＲ２１１１〜Ｒ２１１２から成り、各レコードＲ２１１１〜Ｒ２１１２のフィールドＦ２１１１〜Ｆ２１１２にはそれぞれ状況識別子、応答メッセージＩＤが格納されている。応答メッセージＩＤ（Ｆ２１１２）は、応答メッセージ保持手段２１が保持する複数の応答メッセージを識別するためのＩＤであり、本実施の形態においては応答メッセージＩＤ＝１が応答メッセージ「ただいま仕事中です」を示し、ＩＤ＝２が応答メッセージ「ただいま打ち合わせ中です」を示す。
【００５０】
図７は、本発明の実施の形態１における携帯電話端末１が着信を受けた際の通信動作決定手段４０の処理手順を表すフローチャートである。まずステップＳ４００１において、通信動作決定手段４０は通信手段２０から発呼者識別子２０１を取得する。次にステップＳ４００２において、通信動作決定手段４０はＲＦＩＤリーダ３１から近距離に存在する周辺装置の周辺装置識別子３０１を取得する。ＲＦＩＤリーダ３１の近距離に複数の周辺装置が存在する場合には、通信動作決定手段４０は近距離に存在するすべての周辺装置の周辺装置識別子３０１を取得する。
【００５１】
ステップＳ４００３において通信動作決定手段４０は、ステップＳ４００１で取得した発呼者識別子２０１から個人情報テーブルＴ５１１（図４）に基づいて発呼者の氏名（Ｆ５１１１）とグループ（Ｆ５１１４）を取得して発呼者属性とする。ステップＳ４００４において通信動作決定手段４０は、ステップＳ４００２で取得したすべての周辺装置識別子３０１について個人情報テーブルＴ５１１（図４）に基づいて近距離に存在する周辺装置の利用者の氏名（Ｆ５１１１）とグループ（Ｆ５１１４）を取得して状況識別子とする。
【００５２】
ステップＳ４００５において通信動作決定手段４０は、ステップＳ４００４で取得した状況識別子に対応する着信動作テーブルＴ５２１（図５（ａ））のレコードを抽出する。ステップＳ４００６において通信動作決定手段４０は、着信動作の候補を表す変数「着信動作Ｘ」に「通常通知」を一時的にセットした上でステップＳ４００７以降の処理を行う。
【００５３】
ステップＳ４００７は、ステップＳ４００５で着信動作テーブルＴ５２１（図５（ａ））から抽出したすべてのレコードについてステップＳ４００８〜Ｓ４０１１の処理を完了したかどうかを判断する分岐である。通信動作決定手段４０がすべてのレコードについての処理Ｓ４００８〜Ｓ４０１１を完了すると（ＹＥＳ）ステップＳ４０１２へ進む。
【００５４】
ステップＳ４００８において通信動作決定手段４０は、着信動作テーブルＴ５２１（図５（ａ））のレコードの着信動作（Ｆ５２１２）の値を着信動作として選び、その値が「個別設定」であれば（ＹＥＳ）ステップＳ４００９へ進み、そうでなければ（ＮＯ）ステップＳ４０１０へ進む。
【００５５】
ステップＳ４００９において通信動作決定手段４０は、着信個別動作テーブルＴ５３１（図５（ｂ））を参照し、ステップＳ４００４で取得した状況識別子と、ステップＳ４００３で取得した発呼者属性に基づいて最も規制の強い着信動作を選ぶ。ここで「着信動作の規制の強さ」は、携帯電話端末１の着信動作が周囲に及ぼす影響の大きさに基づいてあらかじめ定められた規則に基づいて評価される。本実施の形態においては、規制が強いものから順に「着信拒否」、「留守応答」、「無音通知」、「通常通知」と定められているものとする。
【００５６】
ステップＳ４０１０〜Ｓ４０１１において通信動作決定手段４０は、ステップＳ４００９までの処理で選んだ着信動作と、それ以前に得た着信動作Ｘの規制の強さを比較し、規制が強い方の着信動作を着信動作Ｘとする。着信動作決定手段４０は、ステップＳ４００６〜Ｓ４０１１の処理により、着信動作の候補のうちで最も規制が強い着信動作Ｘを得ることになる。
【００５７】
ステップＳ４０１２において着信動作決定手段４０は、着信動作Ｘにセットされた着信動作を通信動作指示とする。ステップＳ４０１３〜Ｓ４０１４において着信動作決定手段４０は、着信動作として留守応答が得られた場合（Ｓ４０１３の「ＹＥＳ」）にステップＳ４００４で得た状況識別子から応答メッセージテーブルＴ２１１（図６）に基づいて応答メッセージＩＤ（Ｆ２１１２）を取得して通信動作指示に追加する（Ｓ４０１４）。ステップＳ４０１５において通信動作決定手段４０は、ステップＳ４０１４までの処理で得た通信動作指示２０２を出力して処理を終了する。
【００５８】
図８〜図１０は、本発明の実施の形態１における携帯電話端末１を利用する生活場面の例を説明する図である。図８は、第１の携帯電話端末１の利用者Ｕ１が一人で過ごしている第１の生活場面において、家族の△野△子Ｕ１−ｂが利用する第２の携帯電話端末１−ｂが第１の携帯電話端末１へ発呼した第１の状況を表している。図９は、第１の携帯電話端末１の利用者Ｕ１が第３の携帯電話端末１−ｃの利用者である同僚の▽山▽美Ｕ１−ｃと仕事をしている第２の生活場面において、家族の△野△子Ｕ１−ｂが利用する第２の携帯電話端末１−ｂが第１の携帯電話端末１へ発呼した第２の状況を表している。図１０は、第１の携帯電話端末１の利用者Ｕ１、第３の携帯電話端末１−ｃの利用者である同僚の▽山▽美Ｕ１−ｃ、第４の携帯電話端末１−ｄの利用者である得意先の◇川◇郎Ｕ１−ｄが打ち合わせをしている第３の生活場面において、家族の△野△子Ｕ１−ｂが利用する第２の携帯電話端末１−ｂが第１の携帯電話端末１へ発呼した第３の状況を表している。なお、本発明の実施の形態の説明において、生活場面の例には場所、時間、外部雑音、移動速度等に特定の条件は設けないものとし、それぞれの生活場面の場所、時間、外部雑音、移動速度は同じであってもよいし、異なっていてもよい。
【００５９】
以下、図２〜１０を用いて本発明の実施の形態１における携帯電話端末１の動作を説明する。まず、第１の状況（図８）の場合の携帯電話端末１の動作を説明する。第１の携帯電話端末１が第２の携帯電話端末１−ｂからの着信を検知すると、図７のフローチャートのステップＳ４００１において通信動作決定手段４０は発呼者識別子「０９０２２２２２２２２」を取得する。ステップＳ４００３において通信動作決定手段４０は発呼者属性「△野△子」「家族」を得る。一方、第１の携帯電話端末１の近距離に外部端末が存在しないので、ステップＳ４００２、Ｓ４００４、Ｓ４００５の処理の結果、着信動作テーブルＴ５２１のレコードは抽出されない。したがって、ステップＳ４００７の判断（ＹＥＳ）でステップＳ４００８〜Ｓ４０１１の処理はスキップされ、ステップＳ４０１２へ進む。そのため、ステップＳ４０１２においてはステップＳ４００６でセットされた着信動作Ｘの値「通常通知」がそのまま通信動作指示となる。つづくステップＳ４０１３における判断は「ＮＯ」であるので、ステップＳ４０１５において通信動作決定手段は通信動作指示２０２「通常通知」を出力する。
【００６０】
通信手段２０は、通信動作指示２０２「通常通知」を受け取り、デフォルトの着信通知設定に従って着信を通知する。利用者があらかじめ着信音を鳴動する設定にしていた場合は、通信手段２０は着信通知音信号７２１を出力し、スピーカー７２がこれを受けて着信音を放音する。すなわち、携帯電話端末１の近距離に外部端末が存在しない場合には、携帯電話端末１はデフォルトの着信通知設定に従って着信を通知する。
【００６１】
次に、第２の状況（図９）の場合の携帯電話端末１の動作を説明する。第２の状況においては第１の状況と異なり、第１の携帯電話端末１の近距離に外部端末である第３の携帯電話端末１−ｃが存在する。したがって、図７のフローチャートのステップＳ４００２において通信動作決定手段４０は周辺装置識別子「３３３３３３ＣＣＣＣ」を得る。また、ステップＳ４００４において通信動作決定手段４０は状況識別子「▽山▽美」「同僚」を得る。さらにステップＳ４００５において通信動作決定手段４０はレコードＲ５２１３（図５（ａ））を得る。
【００６２】
ステップＳ４００７の判断は「ＮＯ」であるので通信動作決定手段４０はステップＳ４００８へ進む。ステップＳ４００８において、レコードＲ５２１３の着信動作フィールドＦ５２１２の値が「個別動作」であり判断は「ＹＥＳ」であるので通信動作決定手段４０はステップＳ４００９へ進む。ステップＳ４００９において通信動作決定手段４０は、状況識別子「同僚」に対応するレコードＲ５３１１のうち、発呼者属性「家族」に対応するフィールドＦ５３１３の値である着信動作「留守応答」を選ぶ。ステップＳ４０１０では着信動作「留守応答」が着信動作Ｘの値「通常通知」よりも規制が強い（ＹＥＳ）ので通信動作決定手段４０はステップＳ４０１１へ進む。ステップＳ４０１１では通信動作決定手段４０は着信動作Ｘに「留守応答」をセットする。ステップＳ４００５で抽出したレコードは１個だけであるので次のステップＳ４００７の判断は「ＹＥＳ」となり、通信動作決定手段４０はステップＳ４０１２へ進む。
【００６３】
ステップＳ４０１２において通信動作決定手段４０は、「留守応答」を通信動作指示とする。ステップＳ４０１３の判断は「ＹＥＳ」であるので通信動作決定手段４０はステップＳ４０１４へ進む。ステップＳ４０１４において通信動作決定手段４０は、応答メッセージテーブルＴ２１１（図６）から状況識別子「同僚」に対応する応答メッセージＩＤ「１」を得て通信動作指示「留守応答」に追加することにより、通信動作指示「留守応答，１」を得る。最後にステップＳ４０１５において通信動作決定手段４０は、通信動作指示２０２として「留守応答，１」を通信手段２０へ出力する。
【００６４】
通信手段２０は、通信動作指示２０２「留守応答，１」を受け取り、発呼側端末である第２の携帯電話端末１−ｂへ応答メッセージ「ただいま仕事中です」を送出したのち、発呼者である△野△子Ｕ１−ｂの通話音声を録音する動作を行う。すなわち、携帯電話端末１の近距離に同僚の携帯電話端末１−ｃが存在する場合には、家族からの着信に対して携帯電話端末１は留守応答を行う。
【００６５】
最後に、第３の状況（図１０）の場合の携帯電話端末１の動作を説明する。第３の状況においては、第１の携帯電話端末１の近距離に第３の携帯電話端末１−ｃの他に第４の携帯電話端末１−ｄが存在する。したがって、図７のフローチャートのステップＳ４００２において通信動作決定手段４０は周辺装置識別子「３３３３３３ＣＣＣＣ」「４４４４４４ＤＤＤＤ」を得る。また、ステップＳ４００４において通信動作決定手段４０は状況識別子「▽山▽美」「同僚」「◇川◇郎」「得意先」を得る。さらにステップＳ４００５において通信動作決定手段４０はレコードＲ５２１３およびＲ５２１４（図５（ａ））を得る。
【００６６】
ステップＳ４００７の判断は「ＮＯ」であるので通信動作決定手段４０はステップＳ４００８へ進む。ステップＳ４００８〜Ｓ４０１１の１回目の処理においては通信動作決定手段４０はレコードＲ５２１３の処理を行い、第２の状況（図９）と同じく、着信動作Ｘに「留守応答」をセットする。ステップＳ４００８〜Ｓ４０１１の２回目の処理のうち、ステップＳ４００８〜Ｓ４００９において通信動作決定手段４０はレコードＲ５２１４の処理を行い、着信個別動作テーブルＴ５３１（図５（ｂ））のレコードＲ５３１２のフィールドＦ５３１３の値である着信動作「着信拒否」を選ぶ。ステップＳ４０１０の判断では着信動作「着信拒否」が着信動作Ｘの値「留守応答」よりも規制が強いので、通信動作決定手段４０は着信動作Ｘに「着信拒否」をセットする。つづくステップＳ４０１２〜Ｓ４０１５の処理を経て通信動作決定手段４０は、通信動作指示２０２として「着信拒否」を通信手段２０へ出力する。
【００６７】
通信手段２０は、通信動作指示２０２「着信拒否」を受け取り、着信通知を行わずに発呼側へビジー信号を返す。すなわち、第２の状況と同様に携帯電話端末１の近距離に同僚の携帯電話端末１−ｃがある場合であっても、近距離に得意先の携帯電話端末１−ｄが存在する場合には、家族からの着信に対して携帯電話端末１はより規制の強い着信動作である着信拒否の動作を行う。
【００６８】
以上説明したとおり、本発明の実施の形態１における携帯電話端末１は、家族Ｕ１−ｂからの着信を受けた場合であっても、利用者Ｕ１が一人で過ごしている第１の生活場面、利用者Ｕ１が同僚Ｕ１−ｃと仕事をしている第２の生活場面、利用者Ｕ１が同僚Ｕ１−ｃ、得意先Ｕ１−ｄと打ち合わせをしている第３の生活場面でそれぞれ異なる着信動作を行う。
【００６９】
以上の説明から明らかなように、本発明の実施の形態１における携帯電話端末は、通信動作決定手段４０が周辺装置識別子３０１と発呼者識別子２０１とに基づいて通信手段２０の動作を決定する構成によって、利用者の近距離に存在する周辺装置によって発呼者ごとの通信動作を決定することができるので、生活場面が場所や時間や外部雑音や移動速度に限定されない場合であっても、生活場面に合わせて自動的に通信動作を決定することができる。
【００７０】
（実施の形態２）
本発明の実施の形態２では、携帯電話端末１の近距離に存在する外部端末の利用者の氏名や電話番号がわからない状況における実施例を説明する。なお、本発明の実施の形態２における携帯電話端末１の構成、外観、着信個別動作テーブル、通信動作決定手段４０における処理手順は、本発明の実施の形態１の説明に用いた構成（図１〜２）、外観（図３）着信個別動作テーブルＴ５３１（図５（ｂ））、フローチャート（図７）と同じであるものとして説明する。
【００７１】
図１１は、本発明の実施の形態２における利用者情報５１１として利用者情報保持手段５１が保持する個人情報テーブルＴ５１２を示す図である。個人情報テーブルＴ５１２には、本発明の実施の形態１における個人情報テーブルＴ５１１（図４）に加えてレコードＲ５１２５が格納されている。レコードＲ５１２５には、氏名（Ｆ５１２１）および電話番号（Ｆ５１２２）の各フィールドに値が格納されていない。レコードＲ５１２５に格納されている周辺装置識別子「５５５５５５ＥＥＥＥ」に対応する外部端末の利用者が、携帯電話端末１の利用者Ｕ１と面識はないが、特定の生活場面（本実施例においては利用者が車内に居る生活場面）において常に利用者Ｕ１の近距離に居るような場合、このように情報を格納しておくことにより、携帯電話端末１が利用者Ｕ１の生活場面を特定することが可能となる。
【００７２】
図１２は、本発明の実施の形態２における利用者情報５１１として利用者情報保持手段５１が保持する着信動作テーブルＴ５２２を示す図である。着信動作テーブルＴ５２２には、本発明の実施の形態１における着信動作テーブルＴ５２１（図５（ａ））に加えてレコードＲ５２２５が格納されている。図１３は、本発明の実施の形態２における利用者情報保持手段５１が保持する応答メッセージテーブルＴ２１２を示す図である。応答メッセージテーブルＴ２１２には、本発明の実施の形態１における応答メッセージテーブルＴ２１１（図６）に加えてレコードＲ２１２３が格納されている。
【００７３】
図１４は、本発明の実施の形態２における携帯電話端末１を利用する生活場面の例を説明する図である。図１４は、第１の携帯電話端末１の利用者Ｕ１が電車で移動中であり、利用者Ｕ１の近距離には第５の携帯電話端末１−ｅの利用者である乗客Ｕ１−ｅが居る第４の生活場面において、家族の△野△子Ｕ１−ｂが利用する第２の携帯電話端末１−ｂが第１の携帯電話端末１へ発呼した第４の状況を表している。以下、図２〜３、図５（ｂ）、図７、図１１〜１４を用いて本発明の実施の形態２における携帯電話端末１の動作を説明する。
【００７４】
第１の携帯電話端末１が第２の携帯電話端末１−ｂからの着信を検知すると、図７のフローチャートのステップＳ４００４において通信動作決定手段４０は周辺装置識別子「５５５５５５ＥＥＥＥ」を得る。また、ステップＳ４００４において通信動作決定手段４０は状況識別子「乗客」を得る。さらにステップＳ４００５において通信動作決定手段４０はレコードＲ５２２５（図１２）を得る。
【００７５】
ステップＳ４００７の判断は「ＮＯ」であるので通信動作決定手段４０はステップＳ４００８へ進み、ステップＳ４００８、Ｓ４００９を経て着信動作「留守応答」を選ぶ。ステップＳ４０１０の判断は「ＹＥＳ」なので通信動作決定手段４０はステップＳ４０１１で「留守応答」を着信動作Ｘにセットする。ステップＳ４０１２〜Ｓ４０１５の処理を経て通信動作決定手段４０は通信動作指示２０２「留守応答，３」を出力する。
【００７６】
通信手段２０は、通信動作指示２０２「留守応答，３」を受け取り、発呼側端末である第２の携帯電話端末１−ｂへ応答メッセージ「ただいま移動中です」を送出したのち、発呼者である△野△子Ｕ１−ｂの通話音声を録音する動作を行う。すなわち、携帯電話端末１の近距離に乗客Ｕ１−ｅの携帯電話端末１−ｅが存在する場合には、家族からの着信に対して携帯電話端末１は留守応答を行う。また、携帯電話端末１の近距離に乗客の携帯電話端末１−ｅが存在する場合の応答メッセージは、本発明の実施の形態１で説明した図９の第２の状況（携帯電話端末１の近距離に同僚の携帯電話端末１−ｃが存在する場合）における応答メッセージ（「ただいま仕事中です」）とは異なるものとなる。
【００７７】
以上説明したとおり、本発明の実施の形態２における携帯電話端末１は、家族Ｕ１−ｂからの着信を受けた場合であっても、利用者Ｕ１が同僚Ｕ１−ｃと仕事をしている第２の生活場面、利用者Ｕ１が乗客Ｕ−ｅとともに移動中である第４の生活場面でそれぞれ異なった着信動作を行う。
【００７８】
以上の説明から明らかなように、本発明の実施の形態２における携帯電話端末は、通信動作決定手段４０が周辺装置識別子３０１と発呼者識別子２０１とに基づいて通信手段２０の動作を決定する構成によって、利用者の近距離に存在する周辺装置によって発呼者ごとの通信動作を決定することができるので、生活場面が場所や時間や外部雑音や移動速度に限定されない場合であっても、生活場面に合わせて自動的に通信動作を決定することができる。
【００７９】
（実施の形態３）
本発明の実施の形態３では、通信動作決定手段２０が着信動作テーブルや着信個別動作テーブルではなく、状況識別子と発呼者属性の優先度情報を格納する状況優先度テーブルに基づいて通信動作を決定する実施例を説明する。
【００８０】
なお、本発明の実施の形態３における携帯電話端末１の構成、外観、個人情報テーブルは、本発明の実施の形態１の説明に用いた構成（図１〜２）、外観（図３）、個人情報テーブル（図４）と同じであるものとして説明する。また生活場面については、本発明の実施の形態１の説明に用いた生活場面（図８〜１０）を用いて説明する。
【００８１】
図１５は、本発明の実施の形態３における利用者情報５１１として利用者情報保持手段５１が保持する状況優先度テーブルの例を示す図である。状況優先度テーブルＴ５４１は、携帯電話端末１が着信した際の状況と発呼者の優先度を記述したものである。状況優先度テーブルＴ５４１は、状況識別子または発呼者属性に対応する項目ごとのレコードＲ５４１１〜Ｒ５４１５から成り、各レコードＲ５４１１〜Ｒ５４１５のフィールドＦ５４１１〜Ｆ５４１２にはそれぞれ、状況識別子または発呼者属性に対応する項目、優先度が格納されている。ここで、フィールドＦ５４１２の優先度の値は０が最も低優先度であることを表し、数値が大きいほど優先度が高いことを表している。
【００８２】
図１６は、本発明の実施の形態３における携帯電話端末１が着信を受けた際の通信動作決定手段４０の処理手順を表すフローチャートである。ステップＳ４１０１〜Ｓ４１０４は、実施の形態１におけるフローチャート（図７）のステップＳ４００１〜Ｓ４００４と同じであるので説明を省略する。
【００８３】
ステップＳ４１０５において通信動作決定手段４０は、状況優先度テーブルＴ５４１を参照し、ステップＳ４１０４で得た状況識別子（Ｆ５４１１）のうちで優先度（Ｆ５４１２）が最も高いレコードを抽出し、そのレコードの優先度（Ｆ５４１２）の値を優先度Ｘとする。ステップＳ４１０６において通信動作決定手段４０は、状況優先度テーブルＴ５４１を参照し、ステップＳ４１０３で得た発呼者属性（Ｆ５４１１）のうちで優先度（Ｆ５４１２）が最も高いレコードを抽出し、そのレコードの優先度（Ｆ５４１２）の値を優先度Ｙとする。
【００８４】
ステップＳ４１０７において通信動作決定手段４０は、優先度Ｘと優先度Ｙとを比較し、優先度Ｙが優先度Ｘより１以上高い場合（＋１以上）はステップＳ４１１０へ、優先度Ｙが優先度Ｘと等しいか１低い場合（−１〜０）はステップＳ４１０９へ、優先度Ｙが優先度Ｘより２以上低い場合（−２以下）はステップＳ４１０８へそれぞれ進む。ステップＳ４１０８〜Ｓ４１１０で通信動作決定手段４０は、それぞれ「着信拒否」、「無音通知」、「通常通知」を通信動作として選択する。すなわち通信動作決定手段４０は、周辺装置の識別結果から得られる状況の優先度と発呼者の優先度とを比較した結果に基づいて着信動作を選択するのである。そしてステップＳ４１１１において通信動作決定手段４０は、ステップＳ４１１０までの処理によって決定した通信動作を通信動作指示２０２として出力する。
【００８５】
以下、図２〜４、図８〜１０、図１５〜１６を用いて本発明の実施の形態３における携帯電話端末１の動作を説明する。
【００８６】
まず第１の状況（図８）の場合の携帯電話端末１の動作を説明する。第１の携帯電話端末１が第２の携帯電話端末１−ｂからの着信を検知すると、図１６のフローチャートのステップＳ４１０１〜Ｓ４１０４の処理を経て、通信動作決定手段４０は、発呼者属性「△野△子」「家族」を得る。ステップＳ４１０５において通信動作決定手段４０は、ステップＳ４１０４の処理で状況識別子が得られなかったので優先度Ｘを「０」とする。ステップＳ４１０６において通信動作決定手段４０は、状況優先度テーブルＴ５４１を参照して発呼者属性「家族」（Ｒ５４１３）の優先度「２」（Ｆ５４１２）を優先度Ｙとする。
【００８７】
ステップＳ４１０７の判断は「＋１以上」であるので、通信動作決定手段４０はステップＳ４１１０へ進む。ステップＳ４１１０において通信動作決定手段４０は「通常通知」を通信動作とし、ステップＳ４１１１において通信動作指示２０２として「通常通知」を出力する。
【００８８】
通信手段２０は、通信動作指示２０２「通常通知」を受け取り、デフォルトの着信通知設定に従って着信を通知する。
【００８９】
第２の状況（図９）の場合、通信動作決定手段４０はステップＳ４１０４で状況識別子「▽山▽美」「同僚」を得る。ステップＳ４１０５において通信動作決定手段４０は、状況優先度テーブルＴ５４１のレコードＲ５４１４のフィールドＦ５４１２の値である「３」を優先度Ｘとする。ステップＳ４１０７の判断で通信動作決定手段４０は「−１〜０」へ進むのでステップＳ４１０９で選択される「無音通知」を通信動作指示２０２として出力する。
【００９０】
第３の状況（図１０）の場合、第１の状況、第２の状況と同様に処理することにより、通信動作決定手段４０は通信動作指示２０２として「着信拒否」を出力することになる。
【００９１】
以上説明したとおり、本発明の実施の形態３における携帯電話端末１は、家族Ｕ１−ｂからの着信を受けた場合であっても、利用者Ｕ１が一人で過ごしている第１の生活場面、利用者Ｕ１が同僚Ｕ１−ｃと仕事をしている第２の生活場面、利用者Ｕ１が同僚Ｕ１−ｃ、得意先Ｕ１−ｄと打ち合わせをしている第３の生活場面でそれぞれ異なり着信動作を行う。
【００９２】
以上の説明から明らかなように、本発明の実施の形態３における携帯電話端末１は、通信動作決定手段４０が周辺装置識別子３０１と発呼者識別子２０１とに基づいて通信手段２０の動作を決定する構成によって、利用者の近距離に存在する周辺装置によって発呼者ごとの通信動作を決定することができるので、生活場面が場所や時間や外部雑音や移動速度に限定されない場合であっても、生活場面に合わせて自動的に通信動作を決定することができる。
【００９３】
（実施の形態４）
本発明の実施の形態４では、状況識別子と発呼者属性との共起関係の情報を格納する共起規制テーブルに基づいて通信動作決定手段２０が通信動作を決定する実施例を説明する。
【００９４】
なお、本発明の実施の形態４における携帯電話端末１の構成、外観、個人情報テーブルは、本発明の実施の形態１の説明に用いた構成（図１〜２）、外観（図３）、個人情報テーブル（図４）と同じであるものとして説明する。また生活場面については、本発明の実施の形態１の説明に用いた生活場面（図８〜９）を用いて説明する。
【００９５】
図１７は、本発明の実施の形態４における利用者情報５１１として利用者情報保持手段５１が保持する共起規制テーブルの例を示す図である。共起規制テ−ブルＴ５５１は携帯電話端末１が特定の状況において特定の発呼者による着信が生じた場合、すなわち特定の状況と特定の着信とが共起した場合に、着信動作をどのように規制するかを記述したものである。共起規制テーブルＴ５５１は、状況識別子または発呼者属性を表す第１識別子と第２識別子の組合せ（フィールドＦ５５１１とＦ５５１２）ごとのレコードＲ５５１１〜Ｒ５５１２から成り、各レコードＲ５５１１〜Ｒ５５１２のフィールドＦ５５１３にはその組合せが生じた場合に着信動作をどう規制するかの指示が格納されている。例えばレコードＲ５５１１は、状況識別子が△野△子である場合に発呼者属性▽山▽美からの着信があった場合に携帯電話端末１は着信動作を「着信拒否」とすることを表している。またレコードＲ５５１１は、状況識別子が▽山▽美である場合に発呼者属性△野△子からの着信があった場合に携帯電話端末１は着信動作を「着信拒否」とすることを表している。
【００９６】
図１８は、本発明の実施の形態４における携帯電話端末１が着信を受けた際の通信動作決定手段４０の処理手順を表すフローチャートである。ステップＳ４２０１〜Ｓ４２０２の処理は本発明の実施の形態１におけるフローチャート（図７）のステップＳ４００１〜Ｓ４００２と同じであるので説明を省略する。
【００９７】
ステップＳ４２０３〜Ｓ４２０４において通信動作決定手段４０は、ステップＳ４２０１で取得した発呼者識別子に対応する個人情報テーブルＴ５１１（図４）のレコード、ステップＳ４２０２で取得した周辺装置識別子に対応する個人情報テーブルＴ５１１のレコードをそれぞれレコード１、レコード２とする。ステップＳ４２０２で取得する周辺装置識別子が複数個ある場合には、対応するすべてのレコードがレコード２として選ばれる。
【００９８】
ステップＳ４２０５において通信動作決定手段４０は、着信動作の候補を表す変数「着信動作Ｘ」に「通常通知」を一時的にセットした上でステップＳ４２０６以降の処理を行う。
【００９９】
ステップＳ４２０６において通信動作決定手段４０は、レコード１として抽出したレコードと同一のレコードがレコード２に含まれているかどうかを判断する。そして、判断が真であれば（ＹＥＳ）、ステップＳ４２０７へ進み、通信動作決定手段４０は着信動作Ｘ（＝「通常通知」）を通信動作指示２０２として出力して処理を終了する。すなわち、携帯電話端末１の近距離にある外部端末から発呼された着信に対しては着信規制を行わず、デフォルトの着信通知設定に従って着信を通知する。携帯電話端末１がこのように動作するのは、携帯電話端末１において着信動作の規制が行われているということを近距離に居る発呼者に知られないようにするためである。
【０１００】
ステップＳ４２０６の判断が「ＮＯ」である場合、通信動作決定手段４０はステップＳ４２０８の処理へ進む。ステップＳ４２０８〜Ｓ４２０９において通信動作決定手段４０は、レコード１の氏名（Ｆ５１１１）とグループ（Ｆ５１１４）から発呼者属性を、レコード２の氏名（Ｆ５１１１）とグループ（Ｆ５１１４）から状況識別子をそれぞれ得る。
【０１０１】
ステップＳ４２１０において通信動作決定手段４０は、共起規制テーブルＴ５５１のレコードのうち、ステップＳ４２０８で得た発呼者属性と、ステップＳ４２０９で得た状況識別子とが共起した場合の規制の情報が記載されているレコードを抽出し、レコード３とする。
【０１０２】
ステップ４２１１は、ステップＳ４２１０で抽出したレコード３のすべてのレコードについてステップＳ４２１２〜Ｓ４２１４の処理を完了したかどうかを判断する分岐である。通信動作決定手段４０がすべてのレコードについてステップＳ４２１２〜Ｓ４２１４の処理を完了すると（ＹＥＳ）ステップ４２０７へ進む。
【０１０３】
ステップＳ４２１２において通信動作決定手段４０は、レコード３の着信動作のフィールド（Ｆ５５１３）の値を着信動作Ｙとする。ステップＳ４２１３において通信動作決定手段４０は、着信動作Ｙが着信動作Ｘよりも規制が強いかどうかを判断し、判断結果が「ＹＥＳ」であれば着信動作Ｙの値を新たな着信動作Ｘとする。すなわち、ステップＳ４２１１〜Ｓ４２１４の処理を繰り返すことにより、通信動作決定手段４０はレコード３の中から最も規制の強い着信動作を選んで着信動作Ｘとし、ステップＳ４２０７において通信動作指示２０２として出力するのである。
【０１０４】
以下、図２〜４、図８〜９、図１７〜１８を用いて本発明の実施の形態４における携帯電話端末１の動作を説明する。
【０１０５】
まず第１の状況（図８）の場合の携帯電話端末１の動作を説明する。第１の携帯電話端末１が第２の携帯電話端末１−ｂからの着信を検知すると、図１８のフローチャートのステップＳ４２０１〜Ｓ４２０２の処理を経て、通信動作決定手段４０は、発呼者識別子「０９０２２２２２２２２」を得る。ステップＳ４２０３において通信動作決定手段４０は、レコード１としてレコードＲ５１１２（図４）を得るが、ステップＳ４２０４においてはレコード２に該当するレコードは得られない。したがって、ステップＳ４２０６の判断は「ＮＯ」となり、通信動作決定手段４０はステップＳ４２０８の処理へ進む。
【０１０６】
ステップＳ４２０８において通信動作決定手段４０は、発呼者属性「△野△子」「家族」を得るが、ステップＳ４２０９においては状況識別子は得られない。したがって、ステップＳ４２１０の条件に合致するレコード３が得られないため、通信動作決定手段４０はステップＳ４２１１の判断で「ＹＥＳ」へ進み、ステップＳ４２０５でセットした着信動作Ｘ「通常通知」をステップＳ４２０７で通信動作指示２０２として出力する。
【０１０７】
通信手段２０は、通信動作指示２０２「通常通知」を受け取り、デフォルトの着信通知設定に従って着信を通知する。
【０１０８】
第２の状況（図９）の場合、通信動作決定手段４０はステップＳ４２０２において周辺装置識別子「３３３３３３ＣＣＣＣ」を得るので、ステップＳ４２０４においてレコードＲ５１１３（図４）を抽出してレコード２とする。ステップＳ４２０６の判断は「ＮＯ」であるので通信動作決定手段４０はステップＳ４２０８の処理へ進み、ステップＳ４２０８〜Ｓ４２０９において発呼者属性「△野△子」「家族」および状況識別子「▽山▽美」「同僚」を得る。
【０１０９】
ステップＳ４２１０において通信動作決定手段４０は条件に合致するレコードＲ５５１１（図１７）を抽出してレコード３とする。ステップＳ４２１１の判断は「ＮＯ」であるので通信動作決定手段４０はステップＳ４２１２の処理へ進み、レコードＲ５５１１の着信動作フィールド（Ｆ５５１３）の値「着信拒否」を着信動作Ｙとする。ステップＳ４２１３の判断において、着信動作Ｙの値「着信拒否」は着信動作Ｘの値「通常通知」よりも規制が強い（ＹＥＳ）ので、通信動作決定手段４０はステップＳ４２１４において「着信拒否」を新たに着信動作Ｘの値とする。レコード３はＲ５５１１のみであるので、通信動作決定手段４０はステップＳ４２１１からステップＳ４２０７へ進み、着信動作Ｘの値である「着信拒否」を通信動作指示２０２として出力する。
【０１１０】
通信手段２０は、通信動作指示２０２「着信拒否」を受け取り、着信通知を行わず、発呼者側へビジー信号を返す。
【０１１１】
以上説明したとおり、本発明の実施の形態４における携帯電話端末１は、家族Ｕ１−ｂからの着信を受けた場合であっても、利用者Ｕ１が一人で過ごしている第１の生活場面、利用者Ｕ１が同僚Ｕ１−ｃと仕事をしている第２の生活場面でそれぞれ異なった着信動作を行う。
【０１１２】
以上の説明から明らかなように、本発明の実施の形態４における携帯電話端末１は、通信動作決定手段４０が周辺装置識別子３０１と発呼者識別子２０１とに基づいて通信手段２０の動作を決定する構成によって、利用者の近距離に存在する周辺装置によって発呼者ごとの通信動作を決定することができるので、生活場面が場所や時間や外部雑音や移動速度に限定されない場合であっても、生活場面に合わせて自動的に通信動作を決定することができる。
【０１１３】
（実施の形態５）
図１９は、本発明の実施の形態５における携帯電話端末１の概略構成図である。図１９において、携帯電話端末１は利用者情報保持手段５１、利用者情報設定手段５０を備える。
【０１１４】
利用者情報保持手段５１は、通信動作決定手段４０が通信動作を決定するために参照する利用者情報５１１を保持する。利用者情報設定手段５０は、利用者情報保持手段５１が保持する利用者情報５１１を設定する手段である。利用者情報設定手段５０はまた、近距離無線通信手段３０が出力する周辺装置識別子３０１を受け付けて利用者情報５１１を設定する。
【０１１５】
図２０は、本発明の実施の形態５における携帯電話端末１をさらに詳しく示した構成図である。図２０において携帯電話端末１はデバイス管理部８０、十字キー８１、テンキー８２、ＬＣＤ８３を備える。
【０１１６】
デバイス管理部８０は、十字キー８１、テンキー８２、ＬＣＤ８３を管理する部分であり、メニューや項目等の表示を指示する表示指示８０１を受け付けて表示内容をＬＣＤ８３へ出力する。またデバイス管理部８０は、十字キー８１、テンキー８２が受け付ける操作入力の内容を操作通知８０２として出力する。デバイス管理部８０は、ＶＲＡＭ等の記憶素子（図示せず）、ＣＰＵ（図示せず）上で動作するデバイスドライバ、ウインドウ表示ソフトウエア、かな漢字変換フロントエンドプロセッサ等で構成される。
【０１１７】
十字キー８１は、利用者による上下左右方向および中央部分押下の操作入力を受け付けて操作入力の内容をデバイス管理部８０へ通知する。テンキー８２は、利用者による押下操作入力を受け付けて操作入力の内容をデバイス管理部８０へ通知する。ＬＣＤ８３は、デバイス管理部８０の指示に従って情報を表示する。なお、十字キー８１およびテンキー８２は請求項記載の操作入力装置に、ＬＣＤ８３は請求項記載の表示装置にそれぞれ相当する。
【０１１８】
図２１は、本発明の実施の形態５における携帯電話端末１の外観図である。図２１（ａ）は携帯電話端末１を開口部の方向から見た外観図、図２１（ｂ）は携帯電話端末１を開口部の裏側方向から見た外観図である。図２１において携帯電話端末１は十字キー８１、テンキー８２、ＬＣＤ８３を筐体表面に備える。
【０１１９】
図２２は、本発明の実施の形態５における利用者情報５１１として利用者情報保持手段５１が保持する個人情報テーブルの例を示す図である。
【０１２０】
図２３は、本発明の実施の形態５における携帯電話端末１を用いて個人情報を設定する際のＬＣＤ８３の表示例を説明する図である。以下、図２０〜２３を用いて、本発明の実施の形態５における利用者情報５１１を設定する際の携帯電話端末１の動作のうち、個人情報テーブルを設定する動作を説明する。なお、図２２（ａ）に示す個人情報テーブルＴ５１３が個人情報テーブルの初期状態であるものとして以下の説明を行う。
【０１２１】
図２３（ａ）は、ＲＦＩＤリーダ３１の通信状態を表示している画面である。本画面は、利用者情報設定手段５０が周辺装置識別子３０１を受け付け、デバイス管理部８０へ表示指示８０１を出すことによりＬＣＤ８３が表示するものである。図２３（ａ）においてＬＣＤ８３の表示は、携帯電話端末１の近距離に３台の周辺装置が存在することを項目８１０１〜８１０３により示している。またＬＣＤ８３は、それぞれの項目８１０１〜８１０３に対応して電波強度を表すマーク８１１１〜８１１３を表示している。マーク８１１１〜８１１３は、３台の周辺装置が備えるＲＦＩＤタグとＲＦＩＤリーダ３１との間で行われている通信における電波強度を表すものであり、３本のマーク８１１３が最も電波強度が強く、１本のマーク８１１２が最も電波強度が弱いことを示している。項目の周囲に表示されている枠８１００はその項目にフォーカスがあることを表す。３つの項目８１０１〜８１０３のうち、第１の周辺装置の周辺装置識別子「３３３３３３ＣＣＣＣ」は既に個人情報テーブルＴ５１３のレコードＲ５１３３に登録されていることから、利用者情報設定手段５０はテーブルＴ５１３から取得したレコードＲ５１３３の氏名フィールドＦ５１３１の値「▽山▽美」を表示するようデバイス管理部８０へ表示指示８０１を与えている。また、周辺装置識別子の表示８１０２、８１０３において、周辺装置識別子を表す１０個の文字のうち先頭６文字は伏字を表すアスタリスク（「＊」）に替えた表示となっている。この伏字表示は、周辺装置識別子の一部を隠蔽することで、識別子のすべてを開示する場合に比べて秘匿性を高める目的によるものである。
【０１２２】
図２３（ａ）の画面表示において、利用者が十字キー８１を操作することにより、新たに登録する周辺装置の識別子を選択することができる。ここで利用者が十字キー８１を下方向へ２度操作し、第３の周辺装置に対応する項目８１０３にフォーカス８１００がある状態とし、十字キー８１の中央を押下すると、デバイス管理部８０が操作入力の内容を操作通知８０２として出力し、利用者情報設定手段５０がこれを受け付けて項目８１０３を選択し、ＬＣＤ８３の表示を図２３（ｂ）の登録画面へ遷移するようデバイス管理部８０へ表示指示８０１を出力する。
【０１２３】
図２３（ｂ）は、図２３（ａ）で選択された周辺装置識別子を登録するための画面である。図２３（ａ）で選択された周辺装置識別子８１０３が画面に表示され、利用者による情報入力を促すフォーカス８１００が表示されている。図２３（ｂ）の画面において利用者が十字キー８１、テンキー８２を操作することにより、個人情報テーブルＴ５１３に登録するための情報である氏名、電話番号、グループを入力できるようになっている。画面に表示されている「名前」「電話」「グループ」の項目は個人情報テーブルＴ５１３のフィールド「氏名」（Ｆ５１３１）「電話番号」（Ｆ５１３２）「グループ」（Ｆ５１３４）にそれぞれ対応している。
【０１２４】
図２３（ｂ）の画面右下の「受信」の表示８１２９は、利用者が十字キー８１を右方向へ操作すると図２３（ａ）の画面表示へ戻ることを示している。十字キー８１の右方向操作により図２３（ａ）の画面表示へ戻ると、利用者情報設定手段５０はＲＦＩＤ３１の最新の通信状態をＲＦＩＤリーダ３１から取得し、ＬＣＤ８３の再表示をデバイス管理部８０へ指示する。
【０１２５】
図２３（ｃ）は、図２３（ｂ）の画面における情報入力を完了した画面である。「名前」の欄には第３の周辺装置の利用者の氏名である「◇川◇郎」（８１３１）が、「電話」の欄には第３の周辺装置の電話番号「０９０４４４４４４４４」（８１３２）が、「グループ」の欄には第３の周辺装置の利用者が属するグループ「得意先」（８１３４）がそれぞれ入力されている。ここで利用者が画面左下の「完了」の表示８１３８に従って十字キー８１を左方向に操作すると、入力された情報を利用者情報設定手段５０が個人情報テーブルＴ５１３に登録する。登録の結果である個人情報テーブルＴ５１４の内容を図２２（ｂ）に示す。個人情報テーブルＴ５１４には、利用者による入力情報に基づいて生成された新たなレコードＲ５１４４が追加されている。
【０１２６】
また前記十字キー８１の左方向操作により、ＬＣＤ８３の表示はＲＦＩＤ３１の通信状態の画面（図２３（ｄ））へ遷移する。図２３（ｄ）において第３の周辺装置の周辺装置識別子の表示位置８１３１には、今回登録した第３の周辺装置の利用者の氏名「◇川◇郎」が表示されている。
【０１２７】
図２４、２５は、本発明の実施の形態５における利用者情報５１１として利用者情報保持手段５１が保持する着信動作テーブルおよび着信個別動作テーブルの例を示す図である。また、図２６、２７は、本発明の実施の形態５における携帯電話端末１を用いて着信動作を設定する際のＬＣＤ８３の表示例を説明する図である。以下、図２０〜２２、図２４〜２７を用いて、本発明の実施の形態５における利用者情報５１１を設定する際の携帯電話端末１の動作のうち、着信動作テーブルおよび着信個別動作テーブルを設定する動作を説明する。なお、図２４（ａ）に示す着信動作テーブルＴ５２３が着信動作テーブルの初期状態であるものとして以下の説明を行う。また、初期状態において着信個別動作テーブルには何も設定されていないものとして以下の説明を行う。
【０１２８】
図２６（ａ）は、着信動作テーブルの設定において生活場面を選択する画面である。本画面は、利用者情報設定手段５０がデバイス管理部８０へ表示指示８０１を出すことによりＬＣＤ８３が表示するものである。図２６（ａ）において、「個人名で選択」（８２０１）は、個人情報テーブルＴ５１４（図２２（ｂ））の氏名フィールドＦ５１４１の値ごとに着信動作を設定する選択肢を表し、「グループ名で選択」（８２０２）は、個人情報テーブルＴ５１４のグループフィールドＦ５１４４の値ごとに着信動作を設定する選択肢を表している。利用者は十字キー８１を上下方向に操作することにより、フォーカス８２００を選択肢間で移動させ、十字キー８１の中央を押下することによりフォーカス８２００がある選択肢を選択することができる。ここで利用者が十字キー８１を下方向へ１度操作し、選択肢８２０２にフォーカス８２００がある状態とし、十字キー８１の中央を押下すると、ＬＣＤ８３の表示は図２６（ｂ）の画面へ遷移する。
【０１２９】
図２６（ｂ）は、生活場面ごとに着信動作を設定する画面である。ＬＣＤ８３は、各々の生活場面としてグループ名を表示し、現在の着信動作の設定をグループ名ごとに表示している。「通常」「無音」「留守」は、それぞれ着信動作「通常通知」「無音通知」「留守応答」を表している。
【０１３０】
項目８２１１〜８２１４は、利用者情報設定手段５０が個人情報テーブルＴ５１４のグループフィールドＦ５１４４の値と、その値が着信動作テーブルＴ５２３（図２４（ａ））の状況識別子Ｆ５２３１に一致するレコードの着信動作フィールドＦ５２３２を参照することにより生成する。たとえば、項目８２１１「通常：友人」は、個人情報テーブルＴ５１４のレコードＲ５１４１のフィールドＦ５１４４の値「友人」と、その値を状況識別子（Ｆ５２３１）とする着信動作テーブルＴ５２３のレコードＲ５２３１のフィールドＦ５２３２の値「通常通知」から生成する。なお、個人情報テーブルＴ５１４に格納されているグループフィールドＦ５１４４の値に一致する着信動作テーブルＴ５２３のレコードが存在しない場合、すなわち前記グループの着信動作が未設定である場合には、利用者情報設定手段５０は、着信動作として「通常」を表示するようデバイス管理部８０へ表示指示８０１を出力する。
【０１３１】
図２６（ｂ）の状態において利用者が十字キー８１を下方向へ２度操作し、項目８２１３にフォーカス８２００がある状態とし、十字キー８１の中央を押下すると、ＬＣＤ８３の表示は図２６（ｃ）の画面へ遷移する。
【０１３２】
図２６（ｃ）は、図２６（ｂ）で選択された生活場面「同僚」（８２２０）における着信動作を選択する画面である。図２６（ｃ）においてＬＣＤ８３は、選択可能な着信動作の項目８２２１〜８２２５を表示する。また、着信動作テーブルＴ５２３において状況識別子（Ｆ５２３１）「同僚」に対応するレコードＲ５２３３のフィールドＦ５２３２の値は「無音通知」であるので、利用者情報設定手段５０は、項目「無音通知」（８２２２）にフォーカス８２００を表示するようデバイス管理部８に指示する。
【０１３３】
図２６（ｃ）の状態において利用者が十字キー８１を下方向へ１度操作し、項目８２２３にフォーカス８２００がある状態とし、十字キー８１の中央を押下すると、選択された結果を利用者情報設定手段５０が着信動作テーブルＴ５２３に登録する。登録の結果である着信動作テーブルＴ５２４の内容を図２４（ｂ）に示す。着信動作テーブルＴ５２４の状況識別子（Ｆ５２４１）「同僚」に対応するレコードＲ５２４３の着信動作フィールドＦ５２４２の値が「留守応答」に変更されている。
【０１３４】
また前記十字キー８１の押下操作により、ＬＣＤ８３の表示は着信動作選択画面（図２６（ｄ））へ遷移する。図２６（ｄ）において項目８２３３の着信動作として、今回選択した「留守応答」を表す「留守」が表示されている。
【０１３５】
図２６（ｄ）に示す画面において、利用者が十字キー８１の中央を押下し、さらに十字キー８１を下方向へ２度操作すると、ＬＣＤ８３の表示は図２７（ａ）に示すように、項目「個別設定」にフォーカス８２００がある状態となる。ここで利用者が十字キー８１の中央を押下すると、ＬＣＤ８３の表示は、生活場面「同僚」における着信動作を個別に設定する図２７（ｂ）の設定画面へ遷移する。
【０１３６】
図２７（ｂ）において、項目８２４１〜８２４５は、生活場面「同僚」における発呼者属性（氏名またはグループまたは「不明」）ごとの個別の着信動作を表している。利用者情報設定手段５０が、個人情報テーブルＴ５１４の氏名フィールドＦ５１４１およびグループフィールド（Ｆ５１４４）の値、すなわち発呼者属性ごとの個別の着信動作を着信個別動作テーブルから抽出してデバイス管理部８０へ表示を指示することにより、ＬＣＤ８３が図２７（ｂ）の画面を表示する。着信個別動作テーブルに個別の着信動作が未設定である場合、利用者情報設定手段５０は、個別の着信動作の代わりに着信動作テーブルの着信動作フィールドの値を表示するようデバイス管理部８０へ指示する。図２７（ｂ）の段階では、着信個別動作テーブルに生活場面「同僚」における個別の着信動作の情報が格納されていないので、利用者情報設定手段５０は、着信動作テーブルＴ５２４の状況識別子フィールドＦ５２４１が「同僚」に一致するレコードＲ５２４３の着信動作フィールドＦ５２４２の値「留守応答」を項目８２４１〜８２４５に表示するようデバイス管理部８０へ指示する。
【０１３７】
図２７（ｂ）の状態において利用者が十字キー８１を下方向へ４度操作し、項目８２４５にフォーカス８２００がある状態とし、十字キー８１の中央を押下すると、ＬＣＤ８３の表示は図２７（ｃ）の画面へ遷移する。
【０１３８】
図２７（ｃ）は、図２７（ｂ）で選択された発呼者属性「得意先」（８２４５）に対応する個別の着信動作を選択する画面である。図２７（ｃ）においてＬＣＤ８３は、選択可能な着信動作の項目８２５１〜８２５４を表示する。また、着信動作テーブルＴ５２４において状況識別子（Ｆ５２４１）「同僚」に対応するレコードＲ５２４３のフィールドＦ５２４２の値は「留守応答」であるので、利用者情報設定手段５０は、項目「留守応答」（８２５３）にフォーカス８２００を表示するようデバイス管理部８０に指示する。
【０１３９】
図２７（ｃ）の状態において利用者が十字キー８１を上方向へ２度操作し、項目８２５１にフォーカス８２００がある状態とし、十字キー８１の中央を押下すると、ＬＣＤ８３の表示は生活場面「同僚」における着信動作を個別に設定する図２７（ｄ）の設定画面へ遷移する。図２７（ｄ）において項目８２４５の着信動作として、今回選択した「通常通知」を表す「通常」が表示されている。
【０１４０】
図２７（ｄ）において利用者が十字キー８１を左方向へ操作すると、利用者情報設定手段５０は、図２７（ａ）〜図２７（ｄ）で選択された結果を着信動作テーブルＴ５２４に登録する。登録の結果である着信動作テーブルＴ５２５の内容を図２５（ａ）に示す。着信動作テーブルＴ５２５の状況識別子（Ｆ５２５１）「同僚」に対応するレコードＲ５２５３の着信動作フィールドＦ５２５２の値が「個別通知」に変更されている。また、新たに設定された着信個別動作テーブルＴ５３５の内容を図２５（ｂ）に示す。着信個別動作テーブルＴ５３５において、状況識別子「同僚」に対応するレコードＲ５３５１のフィールド「得意先」（Ｆ５３５５）の値が「通常通知」となっており、それ以外のフィールド（Ｆ５３５１〜Ｆ５３５４）の値が「留守応答」となっている。
【０１４１】
以上の説明から明らかなように、本発明の実施の形態５における携帯電話端末１は、利用者情報５１１を設定する利用者情報設定手段５０を具備する構成により、利用者の近距離に存在する周辺装置と利用者の状況との対応、利用者の状況と発呼者との対応を利用者が設定することができるので、生活場面が場所や時間や外部雑音や移動速度に限定されない場合であっても、利用者ごとの生活場面に合わせて自動的に通信動作を決定することができる。
【０１４２】
（実施の形態６）
本発明の実施の形態６は、利用者情報５１１として、着信動作テーブルおよび着信個別動作テーブルの替わりに共起規制テーブルを用いた場合の例を説明する。なお、本発明の実施の形態６における携帯電話端末１の構成は図１９、２０に示すとおりとする。また本発明の実施の形態６における携帯電話端末１の外観は図２１に示すとおりとする。また本発明の実施の形態６における個人情報テーブルは図４に示す個人情報テーブルＴ５１１とする。
【０１４３】
図２８は、本発明の実施の形態６における利用者情報５１１として利用者情報保持手段５１が保持する共起規制テーブルの例を示す図である。また、図２９は、本発明の実施の形態６における携帯電話端末１を用いて着信動作を設定する際のＬＣＤ８３の表示例を説明する図である。以下、図４、図１９〜２１、図２８〜２９を用いて、本発明の実施の形態６における利用者情報５１１を設定する際の携帯電話端末１の動作のうち、共起規制テーブルを設定する動作を説明する。なお、図２８（ａ）に示す共起規制テーブルＴ５５２が共起規制テーブルの初期状態であるものとして以下の説明を行う。
【０１４４】
図２９（ａ）は、共起規制テーブルの設定において生活場面を選択する画面である。本画面は、利用者情報設定手段５０がデバイス管理部８０へ表示指示８０１を出すことによりＬＣＤ８３が表示するものである。図２９（ａ）においてＬＣＤ８３は、生活場面に対応する項目８３０１〜８３０５として、個人情報テーブルＴ５１１（図４）の各レコードの氏名フィールドＦ５１１１とグループフィールドＦ５１１４の値、すなわち状況識別子または発呼者属性を表示している。
【０１４５】
また、項目「△野△子」（８３０２）、「▽山▽美」（８３０３）の左に表示されているマーク「※」（８３０９）は、該当する状況識別子または発呼者属性に対して着信動作を規制する設定がなされていることを表す。マーク８３０９は、共起規制テーブルＴ５５２のレコードＲ５５２１に識別子「△野△子」（Ｆ５５２１）と識別子「▽山▽美」（Ｆ５５５２）とが共起した場合の規制動作「着信拒否」（Ｆ５５２３）が格納されていることに基づいて利用者情報設定手段５０がデバイス管理部８０へマーク「※」（８３０９）の表示を指示することにより、ＬＣＤ８３が表示する。
【０１４６】
図２９（ａ）において利用者が十字キー８１を下方向へ２度操作し、項目８３０３にフォーカス８３００がある状態とし、十字キー８１の中央を押下すると、ＬＣＤ８３の表示は図２９（ｂ）の画面へ遷移する。
【０１４７】
図２９（ｂ）は、前記十字キー８１の操作によって選択した識別子「▽山▽美」（８３０３）と共起する可能性のある識別子、すなわち状況識別子または発呼者属性ごとに、共起した場合の着信動作を設定する画面である。図２９（ｂ）の設定画面には現在の設定の内容が一覧表示され、利用者が一覧表示中の項目を選択することにより、識別子ごとの着信動作の設定を変更できるようになっている。図２９（ｂ）において、着信動作「通常通知」「無音通知」「留守応答」「着信拒否」は文字列「通常」「無音」「留守」「着信」で表示される。「△野△子」と「▽山▽美」とが共起した場合の着信動作「着信拒否」が共起規制テーブルＴ５５２のレコードＲ５５２１に既に格納されているので、項目８３１２には「拒否」と表示されている。なお、着信動作が規制されていない識別子８３１１、８３１３〜８３１５の着信動作の欄には「通常」が表示される。
【０１４８】
図２９（ｂ）において利用者が十字キー８１を下方向へ３度操作することにより項目８３１４にフォーカス８３００がある状態とし、さらに十字キー８１の中央を押下すると、識別子「友人」（８３１４）が選択され、ＬＣＤ８３の表示は図２９（ｃ）の画面へ遷移する。
【０１４９】
図２９（ｃ）は、図２９（ａ）で選択した識別子「▽山▽美」（８３０３）と図２９（ｂ）で選択した識別子「友人」（８３１４）とが共起した場合の着信動作を選択する画面である。図２９（ｃ）においてＬＣＤ８３は、選択可能な着信動作の項目８３２１〜８３２４を表示する。また、共起規制テーブルＴ５５２には識別子「▽山▽美」（８３０３）と識別子「友人」（８３１４）とが共起したときの着信動作の情報が格納されていないので、利用者情報設定手段５０は、項目「通常通知」（８３２１）にフォーカス８３００を表示するようデバイス管理部８に指示する。
【０１５０】
図２９（ｃ）において利用者が十字キー８１を下方向へ１度操作することにより項目８３２２にフォーカス８３００がある状態とし、さらに十字キー８１の中央を押下すると、選択された結果を利用者情報設定手段５０が共起規制テーブルＴ５５２に登録する。登録の結果である共起規制テーブルＴ５５３の内容を図２８（ｂ）に示す。共起規制テーブルＴ５５３には、レコードＲ５５３２が新たに追加されており、レコードＲ５５３２には第１識別子「▽山▽美」（Ｆ５５３１）と第２識別子「友人」（Ｆ５５３２）とが共起した場合の着信動作「無音通知」（Ｆ５５３３）が格納されている。
【０１５１】
また前記十字キー８１の押下操作により、ＬＣＤ８３の表示は着信動作の設定画面（図２９（ｄ））へ遷移する。図２９（ｄ）において項目８３３４の着信動作として、今回選択された「無音通知」を表す「無音」が表示されている。
【０１５２】
以上の説明から明らかなように、本発明の実施の形態６における携帯電話端末１は、利用者情報５１１を設定する利用者情報設定手段５０を具備する構成により、利用者の状況と発呼者との対応を利用者が設定することができるので、生活場面が場所や時間や外部雑音や移動速度に限定されない場合であっても、利用者ごとの生活場面に合わせて自動的に通信動作を決定することができる。
【０１５３】
（実施の形態７）
図３０は、本発明の実施の形態７における携帯電話端末１の概略構成図である。図３０において、携帯電話端末１は動作状態通知手段６０を備える。また、通信動作決定手段４０は、通信動作決定手段４０が決定した通信動作の状態の通知を指示する動作状態通知指示６０１を出力するよう構成されている。動作状態通知手段６０は、動作状態情報６０１を受け付けて通信動作の状態を通知する。
【０１５４】
図３１は、本発明の実施の形態７における携帯電話端末１をさらに詳しく示した構成図である。図３１において通信動作決定手段４０は、動作状態通知指示６０１をデバイス管理部８０へ出力する。デバイス管理部８０は、動作状態通知指示６０１に基づいて通信動作の状態を表示するための表示内容をＬＣＤ８３へ出力する。また、利用者情報保持手段５１は利用者情報５１１として個人情報テーブルＴ５１１（図４）および共起規制テーブルＴ５５２（図２８（ａ））を保持している。なお、デバイス管理部８０とＬＣＤ８３が図３０における動作状態通知手段６０に相当する。
【０１５５】
図３２は、本発明の実施の形態７における通信動作決定手段４０が、通信手段２０における通信動作を決定して動作状態通知指示６０１を出力する際の処理手順を表すフローチャートである。まずステップＳ６００１において、通信動作決定手段４０はＲＦＩＤリーダ３１から近距離に存在するすべての周辺装置の周辺装置識別子を取得する。次にステップＳ６００２において通信動作決定手段４０は、ステップＳ６００１で取得したすべての周辺装置識別子に対応するレコードを個人情報テーブルＴ５１１（図４）から抽出してレコード１とする。
【０１５６】
ステップＳ６００３において通信動作決定手段４０は、ステップＳ６００２で得たレコード１の氏名フィールドＦ５１１１の値、グループフィールドＦ５１１４の値を状況識別子とする。ステップＳ６００４〜Ｓ６０１２の処理は、共起規制テーブルＴ５５２（図２８（ａ））のすべてのレコードについて通信動作決定手段４０が実行する処理であり、ステップＳ６００５の判断においてすべてのレコードについての処理が終了したと判断する（ＹＥＳ）ことにより処理を終了する。
【０１５７】
ステップＳ６００４で通信動作決定手段４０は共起規制テーブルＴ５５２のレコードを１個取り出してレコード２とする。ステップＳ６００６で通信動作決定手段４０は、ステップＳ６００３で得た状況識別子の中にレコード２の第１識別子フィールド（Ｆ５５２１）の値が含まれるか判断し、含まれる場合（ＹＥＳ）はステップＳ６０１０へ進み、含まれない場合（ＮＯ）はステップＳ６００７へ進む。
【０１５８】
ステップＳ６００７で通信動作決定手段４０は、ステップＳ６００３で得た状況識別子の中にレコード２の第２識別子フィールド（Ｆ５５２２）の値が含まれるか判断し、含まれる場合（ＹＥＳ）はステップＳ６００８へ進み、含まれない場合（ＮＯ）はステップＳ６００４へ進む。ステップＳ６００８で通信動作決定手段４０は、レコード２の着信動作フィールド（Ｆ５５２３）の値を通信動作として決定する。ステップＳ６００９で通信動作決定手段４０は、ステップＳ６００８までの処理で決定した通信動作とレコード２の第１識別子フィールド（Ｆ５５２１）の値を通知するよう、動作状態通知指示６０１をデバイス管理部８０へ出力する。
【０１５９】
ステップＳ６０１０で通信動作決定手段４０は、ステップＳ６００３で得た状況識別子の中にレコード２の第２識別子フィールド（Ｆ５５２２）の値が含まれるか判断し、含まれない場合（ＮＯ）はステップＳ６０１１へ進み、含まれる場合（ＹＥＳ）はステップＳ６００４へ進む。ステップＳ６０１１で通信動作決定手段４０は、レコード２の着信動作フィールド（Ｆ５５２３）の値を通信動作として決定する。ステップＳ６０１２で通信動作決定手段４０は、ステップＳ６０１１までの処理で決定した通信動作とレコード２の第２識別子フィールド（Ｆ５５２２）の値を通知するよう、動作状態通知指示６０１をデバイス管理部８０へ出力する。
【０１６０】
ステップＳ６００６→Ｓ６００７→Ｓ６００８の順に進む処理は、第２識別子フィールド（Ｆ５５２２）の値が示す状況識別子に対応する周辺装置が携帯電話端末１の近距離に存在した場合に、そのレコードの第１識別子フィールド（Ｆ５５２１）の値が示す発呼者属性に対応する携帯電話からの着信に対する着信動作を導出する処理に相当する。一方、ステップＳ６００６→Ｓ６０１０→Ｓ６０１１の順に進む処理は、第１識別子フィールド（Ｆ５５２１）の値が示す状況識別子に対応する周辺装置が携帯電話端末１の近距離に存在した場合に、そのレコードの第２識別子フィールド（Ｆ５５２２）の値が示す発呼者属性に対応する携帯電話からの着信に対する着信動作を導出する処理に相当する。
【０１６１】
すなわち、通信動作決定手段４０は、携帯電話端末１の近距離に存在する周辺装置との共起が規制されている発呼者属性と、規制された着信動作とを、通信動作の状態として通知するよう動作状態通知手段６０へ指示するのである。
【０１６２】
また、ステップＳ６００６→Ｓ６０１０→Ｓ６００４の順に進む処理は、互いに共起が規制されている２個の識別子が共に状況識別子に含まれている場合、すなわち互いに共起が規制されている外部端末がいずれも携帯電話端末１の近距離に存在する場合に、その規制に関する情報を通知しないことを通信動作決定手段４０が決定する処理に相当する。通信動作決定手段４０がこのように動作するのは、携帯電話端末１において着信動作の規制が行われているということを近距離に居る外部端末の所有者に知られないようにするためである。
【０１６３】
図３３は、本発明の実施の形態７における携帯電話端末１の動作状態通知手段６０に相当するＬＣＤ８３の表示例を示す図である。図３３（ａ）は、携帯電話端末１の近距離に利用者「▽山▽美」が所持する第３の携帯電話端末１−ｃが存在する場合のＬＣＤ８３の表示を示す。図３３（ｂ）は、第３の携帯電話端末１−ｃに加えて利用者「△野△子」が所持する第２の携帯電話端末１−ｂが携帯電話端末１の近距離に存在する場合のＬＣＤ８３の表示を示す。以下、図４、図２８（ａ）、図３０〜３３を用いて本発明の実施の形態７における携帯電話端末１の動作を説明する。
【０１６４】
まず、携帯電話端末１の近距離に第３の携帯電話端末１−ｃのみが存在する場合の動作を説明する。図３２のフローチャートのステップＳ６００１において通信動作決定手段４０は、第３の携帯電話端末１−ｃの周辺装置識別子「３３３３３３ＣＣＣＣ」を取得する。ステップＳ６００２において通信動作決定手段４０は、個人情報テーブルＴ５１１（図４）のレコードＲ５１１３をレコード１とする。ステップＳ６００３において通信動作決定手段４０は、状況識別子「▽山▽美」「同僚」を得る。ステップＳ６００４において通信動作決定手段４０は、共起規制テーブルＴ５５２（図２８（ａ））のレコードＲ５５２１をレコード２とする。
【０１６５】
ステップＳ６００５の判断は「ＮＯ」であるので通信動作決定手段４０はステップＳ６００６へ進む。ステップＳ６００６の判断は「ＮＯ」、ステップＳ６００７の判断は「ＹＥＳ」であるので、通信動作決定手段４０はステップＳ６００８へ進む。ステップＳ６００８において通信動作決定手段４０はレコードＲ５５２１の着信動作フィールド（Ｆ５５２３）の値「着信拒否」を通信動作とする。ステップＳ６００９において通信動作決定手段４０は、決定した通信動作「着信拒否」とレコードＲ５５２１の第１識別子フィールド（Ｆ５５２１）の値「△野△子」の通知を指示する動作状態通知指示６０１を出力する。
【０１６６】
以上の処理の結果、図３３（ａ）に示すとおり、ＬＣＤ８３は通信動作「着信拒否」に対応する文字列「拒否」（８４０１）、規制されている発呼者の発呼者属性を示す文字列「△野△子」（８４０２）を表示することにより、通信動作決定手段４０が「△野△子」からの着信を拒否するよう通信動作を決定した状態であることを利用者に通知する。
【０１６７】
次に、携帯電話端末１の近距離に第３の携帯電話端末１−ｃと第２の携帯電話端末１−ｂが存在する場合の動作を説明する。図３２のフローチャートのステップＳ６００１において通信動作決定手段４０は、周辺装置識別子「２２２２２２ＢＢＢＢ」「３３３３３３ＣＣＣＣ」を取得する。ステップＳ６００２において通信動作決定手段４０は、個人情報テーブルＴ５１１（図４）のレコードＲ５１１２、Ｒ５１１３をレコード１とする。ステップＳ６００３において通信動作決定手段４０は、状況識別子「▽山▽美」「同僚」「△野△子」「家族」を得る。ステップＳ６００５において通信動作決定手段４０は、共起規制テーブルＴ５５２（図２８（ａ））のレコードＲ５５２１をレコード２とする。
【０１６８】
ステップＳ６００５の判断は「ＮＯ」であるので通信動作決定手段４０はステップＳ６００６へ進む。ステップＳ６００６の判断は「ＹＥＳ」であるので通信動作決定手段４０はステップＳ６０１０へ進む。ステップＳ６０１０の判断も「ＹＥＳ」であるので通信動作決定手段４０は動作状態通知指示６０１を出力せずにステップＳ６００４へと進み、ステップＳ６００５の判断で「ＹＥＳ」へ進んで処理を終わる。
【０１６９】
以上の処理の結果、図３３（ｂ）に示すとおり、ＬＣＤ８３は規制されている発呼者を示す文字列を表示しない。
【０１７０】
以上説明したとおり、本発明の実施の形態７における携帯電話端末１は、第３の携帯電話端末が近距離に存在するとき、第２の携帯電話端末からの着信を規制していることを示す表示を行う。また、本発明の実施の形態７における携帯電話端末１は、第３の携帯電話端末と、第３の携帯電話端末が近距離に存在する場合に着信を規制する第２の携帯電話端末が近距離に存在するとき、第２の携帯電話端末からの着信を規制していることを示す表示を行わない。
【０１７１】
以上の説明から明らかなように、本発明の実施の形態７における携帯電話端末１は、通信動作決定手段４０が決定した通信動作の状態を通知する動作状態通知手段６０を具備することにより、利用者の近距離に存在する周辺装置によって決定される発呼者ごとの通信動作を利用者に通知するので、生活場面が場所や時間や外部雑音や移動速度に限定されない場合であっても、生活場面に合わせて自動的に通信動作を決定することができるとともに、決定された通信動作を利用者が確認することができる。
【０１７２】
なお、本発明の実施の形態１〜７において、携帯電話端末の例を説明したが、発呼者を識別できる通信手段を有する装置であれば何であってもよく、たとえばスマートフォンやＩＰ電話や固定電話であってもよいし、電子メールやショートメッセージやインスタントメッセージやプッシュトゥトークメッセージやチャットメッセージの受信機能を持つ情報端末であってもよい。
【０１７３】
なお、本発明の実施の形態１〜７において、通信手段は無線通信回線に接続するものであるとしたが、発呼者を識別できる通信であればどのようなものであってもよく、近距離無線や有線による通信を行う通信手段であってもよい。
【０１７４】
なお、本発明の実施の形態１〜７において、近距離無線通信手段はＲＦＩＤタグおよびＲＦＩＤリーダであるとしたが、近距離に存在する周辺端末を検出可能な無線通信手段であれば何であってもよく、たとえばＢｌｕｅｔｏｏｔｈや無線ＬＡＮや非接触型ＩＣカードによる通信手段であってもよいし、赤外線や紫外線や可視光や超音波や可聴音や磁気等によるその他の通信手段であってもよい。
【０１７５】
なお、本発明の実施の形態１〜７において、通信動作決定手段は「通常通知」「留守応答」「無音通知」「着信拒否」のいずれかから通信動作を決定するとしたが、これに限るものではなく、たとえば着信の通知における表示または音出力または振動出力または応答メッセージの内容やパターン、またはそれらの組合せを決定するようにしてもよい。
【０１７６】
なお、本発明の実施の形態１〜７において、利用者情報は個人情報テーブルであるとしたが、これに限るものではなく、周辺装置識別子と状況識別子との対応を示す情報を含むものであればどのようなものであってもよい。
【０１７７】
なお、本発明の実施の形態１〜７において、利用者情報は着信動作テーブル、着信個別動作テーブル、状況優先度テーブル、共起規制テーブルであるとしたが、これに限るものではなく、状況識別子と発呼者識別子との対応を示す情報を含むものであればどのようなものであってもよい。
【０１７８】
なお、本発明の実施の形態７において、動作状態通知手段はデバイス管理部とＬＣＤであるとしたが、通信動作の状態を通知するものであれば何であってもよく、たとえばＣＲＴやプラズマや有機ＥＬや光電管や電子紛流体や電子ペーパーやフラッシュランプやＬＥＤによる表示手段であってもよいし、音または振動または筐体の一部変形または筐体表面の触感または温度または気流によって通知する手段であってもよい。
【産業上の利用可能性】
【０１７９】
本発明の通信装置は、時間や場所によらず利用者の生活場面に合った通信動作を自動的に選択するという効果を有し、さまざまな時間や場所において利用することが想定される通信装置に有用である。
【図面の簡単な説明】
【０１８０】
【図１】本発明の実施の形態１〜４における携帯電話端末の概略構成図
【図２】本発明の実施の形態１〜４における携帯電話端末の詳細構成図
【図３】本発明の実施の形態１〜４における携帯電話端末の外観図
【図４】本発明の実施の形態１、３、４、６，７における個人情報テーブルの内容を説明する図
【図５】（ａ）本発明の実施の形態１における着信動作テーブルの内容を説明する図（ｂ）本発明の実施の形態１における着信個別動作テーブルの内容を説明する図
【図６】本発明の実施の形態１における応答メッセージテーブルの内容を説明する図
【図７】本発明の実施の形態１における通信動作決定手段の処理手順を表すフローチャート
【図８】本発明の実施の形態１，３，４における第１の生活場面を説明する図
【図９】本発明の実施の形態１，３，４における第２の生活場面を説明する図
【図１０】本発明の実施の形態１，３における第３の生活場面を説明する図
【図１１】本発明の実施の形態２における個人情報テーブルの内容を説明する図
【図１２】本発明の実施の形態２における着信動作テーブルの内容を説明する図
【図１３】本発明の実施の形態２における応答メッセージテーブルの内容を説明する図
【図１４】本発明の実施の形態２における第４の生活場面を説明する図
【図１５】本発明の実施の形態３における状況優先度テーブルの内容を説明する図
【図１６】本発明の実施の形態３における通信動作決定手段の処理手順を表すフローチャート
【図１７】本発明の実施の形態４における共起規制テーブルの内容を説明する図
【図１８】本発明の実施の形態４における通信動作決定手段の処理手順を表すフローチャート
【図１９】本発明の実施の形態５、６における携帯電話端末の概略構成図
【図２０】本発明の実施の形態５、６における携帯電話端末の詳細構成図
【図２１】本発明の実施の形態５〜７における携帯電話端末の外観図
【図２２】（ａ）本発明の実施の形態５における個人情報テーブルの内容を説明する第１の図（ｂ）本発明の実施の形態５における個人情報テーブルの内容を説明する第２の図
【図２３】（ａ）本発明の実施の形態５におけるＬＣＤ８３の表示例を説明する第１の図（ｂ）本発明の実施の形態５におけるＬＣＤ８３の表示例を説明する第２の図（ｃ）本発明の実施の形態５におけるＬＣＤ８３の表示例を説明する第３の図（ｄ）本発明の実施の形態５におけるＬＣＤ８３の表示例を説明する第４の図
【図２４】（ａ）本発明の実施の形態５における着信動作テーブルの内容を説明する第１の図（ｂ）本発明の実施の形態５における着信動作テーブルの内容を説明する第２の図
【図２５】（ａ）本発明の実施の形態５における着信動作テーブルの内容を説明する第３の図（ｂ）本発明の実施の形態５における着信個別動作テーブルの内容を説明する第１の図
【図２６】（ａ）本発明の実施の形態５におけるＬＣＤ８３の表示例を説明する第５の図（ｂ）本発明の実施の形態５におけるＬＣＤ８３の表示例を説明する第６の図（ｃ）本発明の実施の形態５におけるＬＣＤ８３の表示例を説明する第７の図（ｄ）本発明の実施の形態５におけるＬＣＤ８３の表示例を説明する第８の図
【図２７】（ａ）本発明の実施の形態５におけるＬＣＤ８３の表示例を説明する第９の図（ｂ）本発明の実施の形態５におけるＬＣＤ８３の表示例を説明する第１０の図（ｃ）本発明の実施の形態５におけるＬＣＤ８３の表示例を説明する第１１の図（ｄ）本発明の実施の形態５におけるＬＣＤ８３の表示例を説明する第１２の図
【図２８】（ａ）本発明の実施の形態６，７における共起規制テーブルの内容を説明する第１の図（ｂ）本発明の実施の形態６における共起規制テーブルの内容を説明する第２の図
【図２９】（ａ）本発明の実施の形態６におけるＬＣＤ８３の表示例を説明する第１の図（ｂ）本発明の実施の形態６におけるＬＣＤ８３の表示例を説明する第２の図（ｃ）本発明の実施の形態６におけるＬＣＤ８３の表示例を説明する第３の図（ｄ）本発明の実施の形態６におけるＬＣＤ８３の表示例を説明する第４の図
【図３０】本発明の実施の形態７における携帯電話端末の概略構成図
【図３１】本発明の実施の形態７における携帯電話端末の詳細構成図
【図３２】本発明の実施の形態７における通信動作決定手段の処理手順を表すフローチャート
【図３３】（ａ）本発明の実施の形態７におけるＬＣＤ８３の表示例を説明する第１の図（ｂ）本発明の実施の形態７におけるＬＣＤ８３の表示例を説明する第２の図
【符号の説明】
【０１８１】
１  携帯電話端末
１−ｂ  第２の携帯電話端末
１−ｃ  第３の携帯電話端末
１−ｄ  第４の携帯電話端末
１−ｅ  第５の携帯電話端末
２０  通信手段
２０１  発呼者識別子
２０２  通信動作指示
２１  応答メッセージ保持手段
３０  近距離無線通信手段
３０１  周辺装置識別子
３１  ＲＦＩＤリーダ
３２  ＲＦＩＤタグ
４０  通信動作決定手段
５０  利用者情報設定手段
５１  利用者情報保持手段
５１１  利用者情報
６０  動作状態通知手段
６０１  動作情報通知指示
７１  マイク
７１１  発話音声信号
７２  スピーカー
７２１  着信通知音信号
７３  バイブレータ
７３１  バイブレータ駆動信号
８０  デバイス管理部
８０１  表示指示
８０２  操作通知
８１  十字キー
８２  テンキー
８３  ＬＣＤ
Ｔ２１１，Ｔ２１２  応答メッセージテーブル
Ｔ５１１，Ｔ５１２，Ｔ５１３，Ｔ５１４  個人情報テーブル
Ｔ５２１，Ｔ５２２，Ｔ５２３，Ｔ５２４，Ｔ５２５  着信動作テーブル
Ｔ５３１，Ｔ５３５  着信個別動作テーブル
Ｔ５４１  状況優先度テーブル
Ｔ５５１，Ｔ５５２，Ｔ５５３  共起規制テーブル
Ｕ１  利用者
Ｕ１−ｂ  第２の利用者
Ｕ１−ｃ  第３の利用者
Ｕ１−ｄ  第４の利用者
Ｕ１−ｅ  第５の利用者
【図１】
0004665687.tif 000002
【図２】
0004665687.tif 000003
【図３】
0004665687.tif 000004
【図４】
0004665687.tif 000005
【図５】
0004665687.tif 000006
【図６】
0004665687.tif 000007
【図７】
0004665687.tif 000008
【図８】
0004665687.tif 000009
【図９】
0004665687.tif 000010
【図１０】
0004665687.tif 000011
【図１１】
0004665687.tif 000012
【図１２】
0004665687.tif 000013
【図１３】
0004665687.tif 000014
【図１４】
0004665687.tif 000015
【図１５】
0004665687.tif 000016
【図１６】
0004665687.tif 000017
【図１７】
0004665687.tif 000018
【図１８】
0004665687.tif 000019
【図１９】
0004665687.tif 000020
【図２０】
0004665687.tif 000021
【図２１】
0004665687.tif 000022
【図２２】
0004665687.tif 000023
【図２３】
0004665687.tif 000024
【図２４】
0004665687.tif 000025
【図２５】
0004665687.tif 000026
【図２６】
0004665687.tif 000027
【図２７】
0004665687.tif 000028
【図２８】
0004665687.tif 000029
【図２９】
0004665687.tif 000030
【図３０】
0004665687.tif 000031
【図３１】
0004665687.tif 000032
【図３２】
0004665687.tif 000033
【図３３】
0004665687.tif 000034